【事件の表示】
　特願２００２−３３３３８４「デジタルカメラ」拒絶査定不服審判事件〔平成１５年　５月２３日出願公開、特開２００３−１５３１７５〕について、次のとおり審決する。
【結　論】
　本件審判の請求は、成り立たない。
【理　由】
１．手続の経緯、本願発明 
　本願は、平成９年９月４日に出願した特願平９−２３９３４７号の一部を平成１４年１１月１８日に新たな特許出願としたものであって、その特許請求の範囲の請求項１、２に係る発明は、平成１８年１月２７日付け、平成１８年４月２５日付けの手続補正書により補正された明細書及び図面の記載からみて、請求項１、２に記載されたとおりのものと認められるところ、請求項１に記載される発明（以下「本願発明」という。）は次のとおりのものである。
「取外し可能なメモリーに、撮影した映像情報を格納する映像書込手段と、
　使用者の操作により、注文者毎に区別して印刷する映像情報を指定可能な注文者指定手段と、
　前記注文者指定手段から入力された注文者毎に区別して指定された映像情報の印刷に関する印刷情報を前記メモリーに格納する管理情報格納手段とを有することを特徴とするデジタルカメラ。」
　
２．引用例 
　これに対して、原査定の拒絶の理由に引用された特開平８−２５１４６３号公報（以下「引用例１」という。）には、「画像処理装置」（発明の名称）に関し、図面と共に次に掲げる事項が記載されている。
　（ア）「【請求項１】　少なくともカメラ部と表示部と記録部とを備え、該カメラ部で撮像した映像を該表示部で表示するとともに、該映像を該記録部に記録する画像処理装置であって、
　該記録部では、記録媒体が着脱可能であって、該記録媒体に該カメラ部で撮影された映像が記録され、
　該記録媒体から所望に選択された該映像に対し、プリントのための所望のレイアウトパターンを選択設定する手段と、
　選択設定されたレイアウトパターンで選択された該所望の映像をレイアウトした情報を該記録媒体に登録する手段とを設けたことを特徴とする画像処理装置。」（請求項１）
　（イ）「【０００７】本発明の目的は、かかる問題を解消し、撮影した映像をユーザの好みのレイアウトで種々のプリント媒体にプリントすることができるようにした画像処理装置を提供することにある。」
　（ウ）「【００１０】
【作用】記録媒体に撮影映像が記録されると、これを表示部で表示するなどしてプリント希望の映像を選択することができ、この選択された映像に対して、好みのレイアウトパターンを選択することができる。選択されたレイアウトパターンに従って選択された映像がレイアウトされ、所望のレイアウトが得られると、記録媒体に登録する。これ以降は、この記録媒体を、例えば、プリント専門店などに持って行ってプリントを頼むなどすればよく、所望の映像が所望のレイアウトでプリントされる。即ち、レイアウトはユーザがユーザの好きなように決めることができ、試しのプリントなどを行なう必要がない。」
　（エ）「【００１３】図１（ａ）〜図１（ｃ）において、筐体１の上面は、各操作ボタンが設けられた操作部２８をなしており、また、この筐体内には、書込み用ディスク機構部２９や読出し用ディスク機構部３０などが収納されている。そして、筐体１の全面には、書込み用ディスク機構部２９に書込み／読出し可能なディスク（磁気ディスクなどであって、以下では、磁気ディスクとする）の着脱をするためのディスク挿入口１２と、読出し用ディスク機構部２９に読出し専用のディスク（コンパクトディスク（ＣＤ）などであって、以下、ＣＤとする）の着脱をするためのディスク挿入口１３とが設けられ、これらディスク挿入口１２，１３の近くに夫々イジェクトボタン１４，１５が設けられている。」
　（オ）「【００１８】カメラ部３は、録画ボタン２０，２１の操作により、１画面分（１フレームまたは１フィールド）を撮影する電子スチルカメラとしての機能と、動画を撮影するムービーとしての機能を切換え可能であって、ここでは、小さい方の録画スイッチ２０を操作すると、電子スチルカメラとしての機能が設定され、大きい方の録画スイッチ２１を操作すると、ムービーとしての機能が設定される。また、これら録画スイッチ２０，２１は夫々２つの機能を有している。即ち、録画スイッチ２０に軽く触れると、電子スチルカメラとして機能する録画モード（電子スチルカメラ録画モード）が設定され、その設定状態で録画スイッチ２０を強く押すと、この録画モードが実行されて１画像分の撮影が行なわれる。同様にして、録画スイッチ２１に軽く触れると、ムービーとして機能する録画モード（ムービー録画モード）が設定され、その設定状態で録画スイッチ２１を強く押すと、この録画モードが実行されて動画撮影が行なわれる。」
　（カ）「【００３２】また、この装置では、磁気ディスクに記録された画像やメモなどをプリントするために、レイアウトボタン５を操作することにことにより、これら画像やメモのレイアウトを決めることができる。設定された画像やメモのレイアウトは磁気ディスクに記録され、これをイジェクトボタン１４を操作することによってイジェクトし、別体のプリンタに装着することにより、設定されたレイアウトでプリントすることができる。勿論、プリント専門店に依頼してプリントして貰うようにすることもでき、いずれにしても、磁気ディスクをスチルカメラのフィルムのように取り扱うことができる。また、コネクタ部１６でプリンタと接続し、レイアウトされたものをこのプリンタに送って、プリントするようにすることもできる。いずれにしても、プリンタがレイアウトされたものだけを読み取るように、磁気ディスクでは、レイアウトされたものに所定のデータが付加されている。」
　（キ）「【０１０６】この実施例では、さらに、磁気ディスクに記録された映像やメモを所定にレイアウトし、プリントに供するようにすることができる。以下、この動作を図１及び図２１〜図２３用いて説明する。
【０１０７】図１４，１５で説明した記録内容の再生においては、所望の画像をピックアップして磁気ディスクの予め決められた所定の保管記録エリアに記録することができる。このような操作は、図１５でのステップ３１３，３１４で再生中に必要な映像やメモ情報が表示されたとき、例えば、図１の録画ボタン２０を操作することにより、その映像（１画像分）やメモが磁気ディスクに記録される。このため、勿論、書込み用ディスク機構部２９（図１（ｃ））には、この保管記録エリア専用の記録再生ヘッドが設けられている。
【０１０８】このようにしてピックアップされた映像やメモ情報が、次に説明するプリントの対象となる。
【０１０９】図１及び図２１において、上記のようにプリントする対象がある場合に、レイアウトボタン５を操作すると（ステップ５００）、図２２（ａ）に示すように、表示画面１７にコメントもプリントするかどうかの問合せがある（ステップ５０１）。ここでは、初期状態で、コメントもプリントするモードにあり、「はい」の表示が点滅している。カーソルを「いいえ」に移動して実行キー６を操作すると、ステップ５０６に移行する。
【０１１０】図２２（ａ）の表示状態で、実行キー６だけを操作すると、コメントもプリントするとして、表示画面１７の表示は図２２（ｂ）に示すようになり、コメントのプリント面は表か裏かを問い合わせる。初期状態では、裏面のプリントと設定されており、「裏」表示が点滅している（ステップ５０２）。この表示状態で実行キー６を操作すると、裏面のプリント指定となり、カーソルを「表」表示に移動させて実行キー６を操作すると、表面のプリントと設定されて「表」表示が点滅し、次いで、図２２（ｃ）に示す表示になる。
【０１１１】この表示は、コメントの内容を選択するものであり（ステップ５０３）、その内容としては、撮影対象となった建築物などの名前や場所名（これらはＣＤに記録されている地図やガイドブックから取り出せる）、録画時に取り込んだもの日時や簡単なメモなどがある。コメントの内容は、任意に所定数選択することができる。
【０１１２】コメントの内容が選択された後、図２２（ｄ）に示すように、表示画面１７にレイアウトパターンの例が複数表示され、その内の１つを選択することができる（ステップ５０４）。この選択されたレイアウトパターンで先にピックアップされて磁気ディスクの保管記録エリアに保管されている映像またはメモが嵌め込まれ、それが表示画面１７に表示されてプリントのイメージを得ることができる（ステップ５０５）。
【０１１３】ここで、このようなプリントイメージを得るために、図２に示したＣＰＵ３５はフレームメモリを備えており、これに選択されたレイアウトパターンが記憶され、これに磁気ディスクの保管記録エリアから再生される映像やメモ情報が書き込まれて合成され、この合成画像が読み出されて表示画面１７に表示される。
【０１１４】また、ステップ５０４，５０５は順序が図示するように固定されているものではなく、レイアウトパターンを入れ替えたり、磁気ディスクの保管記録エリアから再生する情報を取り替えたりすることができる。
【０１１５】このようにして、プリントイメージが出来上がり、実行キー６を操作すると、表示画面１７に図２２（ｅ）に示す表示がなされ、設定されたプリントイメージに対して、プリント枚数を指定することができる（ステップ５０６）。通常は１枚と設定されているが、所望枚数の表示にカーソルを移動させ、実行キー６を操作すると、その枚数にプリント枚数が設定される。
【０１１６】しかる後、以上のプリント条件を登録するかどうかの問合せがあり、実行キー６の操作により、このプリント条件が確定する（ステップ５０７）。そして、図２２（ｆ）に示すように、写真，はがき，アルバムなどのプリント媒体の選択があり（ステップ５０８）、そのうちの１つをカーソルで選択することにより、選択されたプリント媒体に対して上記のプリント条件が対応付けられて登録される（ステップ５０９）。そのほかのプリント媒体についてもプリントしたい場合には（ステップ５１０）、図２２（ｆ）に図示していないが、続行することを示す表示をカーソルで指定することにより、ステップ５０１に戻って図２２（ａ）に示す画像が表示画面１７に表示される。これによって新たに他の映像やメモでもってプリントイメージを形成することができる。
【０１１７】以上により、プリント媒体毎にプリントイメージが登録される。
【０１１８】かかる登録は磁気ディスクに設けられている登録エリアに記録されることによってなされる。そして、イジェクトボタン１４を操作することにより、このようにプリントデータが登録された磁気ディスクを取り出し、プリンタに装着することにより、登録されたプリントイメージをプリント媒体毎に指定枚数ずつプリントすることができる。プリンタがプリントデータだけを読み出すように、磁気ディスクに設けられている登録エリアに特定のフラグがたてられる。また、このような磁気ディスクのデータのプリント専門店があれば、そこでプリントを依頼するようにすることもできる。
【０１１９】図２３はプリントの例を示すものであって、同図（ａ）はプリント媒体を写真としたものであって、表に映像を、裏にコメントをプリントしたものである。また、同図（ｂ）はアルバムであって、表に映像やメモ，コメントをレイアウトしたものである。
【０１２０】このように、録画した映像やメモ情報をユーザが好みとするレイアウトでプリント画を得ることができる。」
　
　これらの記載からすると、引用例１には、
「着脱可能な記録媒体（磁気ディスク）に撮影した映像を記録する手段と、当該映像の再生、表示時に、録画ボタン２０を操作することにより、所望のプリントの対象となる映像を選択する手段と、前記選択する手段で選択された映像のプリントに関するプリントレイアウトやプリント枚数を前記記録媒体に記録する手段とを有する電子スチルカメラの機能を有する画像処理装置」の発明が記載されているものと認められる。
　
　同じく、原査定の拒絶の理由に引用された特開昭６４−５７２６０号公報（以下「引用例２」という。）には、「写真プリントの再生システム」（発明の名称）に関し、図面と共に次に掲げる事項が記載されている。 
　（ク）「〔従来の技術〕
　団体旅行等でのスナップ写真では、同時プリント後に焼増のための再注文が行われることが普通である。この再注文では、複数の注文者（ユーザー）の希望に応じて各駒毎に複数の焼増枚数を記入した注文票が現像所に提出される。このような注文であっても、現像所では１件の注文（オーダー）として取り扱い、必要な駒を必要な枚数だけ焼増プリントし、現像袋に入れてユーザーに渡している。
〔発明が解決しようとする問題点〕
　前述した複数ユーザーが存在している場合は、オーダー主が焼増プリント写真をユーザー毎に仕分け、かつユーザー毎のプリント費用を計算しなければならないが、焼増の注文はフィルムの駒番号で行われるため、フィルム駒番号と焼増プリント写真との照合も必要であるから、仕分は作業が極めて面倒であった。
〔発明の目的〕
　本発明は、焼増プリント写真の仕分けを極めて簡単に行うことができるようにした再注文システムを提供することを目的とするものである。
〔問題点を解決するための手段〕
　上記目的を達成するために、本発明は、同じフイルムに対して複数のユーザーから焼増の再注文があった場合に、焼き増ししたプリント写真にユーザーを特定するための数字又は記号等を記録するようにしたものである。
〔作用〕
　本発明では、焼増プリント写真にユーザーを特定するための数字や記号等を付しているから、オーダー主はこの数字等を元にしてユーザー毎に焼増プリント写真を仕分けることができる。」（公報１頁左下欄１７行〜２頁左上欄９行）
　（ケ）「以下、図面を参照して本発明の一実施例について詳細に説明する。
〔実施例〕
　第２図は納品袋を示すものである。この納品袋２は、現像所に同時プリントを依頼した場合に、その袋部３にネガシート４と同時プリント写真（図示せず）を収納した状態でユーザーに渡される。このネガシート４には、通常６駒の長さにカットされた複数のネガピースが各行に挿入されている。また、蓋部５には、焼増のための注文票６が印刷されている。この注文票は、駒番号列と、複数のユーザー（この実施例では３名）列とが記録されており、このユーザー列にはユーザーを特定するためにユーザー番号が印刷されている。」（公報２頁左上欄１０行〜同頁右上欄３行）
　（コ）「次に、上記実施例の作用について説明する。焼増の再注文に際しては、オーダー主は、納品袋２の注文票６にペン等で焼増枚数を記入し、ネガシートを収納してから現像所に提出する。この注文票６は、ユーザー毎に区画されているから、ユーザー毎に焼増枚数を記入する。
　現像所では、プリントの前段階で、注文票６に記入された依頼内容をキーボード４２で入力する。すなわち、ユーザー番号と、このユーザーの希望する焼増駒とその枚数を入力する。これらの入力データは、データ記憶部４３に記憶される。
　　　・・・（中略）・・・
　この状態でシャッタ２６が所定時間だけ開口するから、焼付レンズ２７によってネガ像が印画紙２８に焼き付けられる。１駒の写真焼付が終了すると、パルスモータ３３が回転して供給リール３０から未露光の部分を引き出し、そして露光済みの部分を現像処理部３７に向けて移送する。焼増枚数が複数の場合には、コントローラ２２は、シャッタ２６の開閉と、印画紙の駒送りとを複数回行って必要枚数だけプリントする。
　焼増駒が焼き付けられた印画紙が印字器３６の位置に達すると、コントローラ２２はデータ記憶部４３のデータに応じて印字器３６を作動させ、第１図に示すように、駒番号４８とユーザー番号４９とを印画紙２８の裏面に印字する。」（公報２頁右下欄１９行〜３頁左下欄５行）
　（サ）「現像所では、焼増プリント写真３９と、料金表４５を納品袋２に入れ、この納品袋２を現像袋に入れてオーダー主に渡す。オーダー主は、焼増プリント写真３９の裏面に印字されたユーザー番号４９を参照して、焼増プリント写真をユーザー毎に仕分ける。」（公報３頁右下欄６行〜１１行）
　（シ）「〔発明の効果〕
　上記構成を有する本発明は、１件の焼増オーダーに複数のユーザーが存在している場合に、印画紙にユーザー番号を記録するようにしたから、このユーザー番号を参照することで、焼増プリント写真の仕分けを簡単に行うことができる。」（公報４頁左上欄１３行〜１８行）
　
３．対比
　本願発明と引用例１に記載の発明とを比較すると、次のことが認められる。 
（ａ）引用例１に記載の発明の「記録媒体」は、本願発明の「メモリー」に対応し、また、引用例１に記載の発明において、撮影した映像情報の記録媒体への記録（格納）が、「記録する手段」でなされることは明らかである。
　もっとも、本願発明では、「記録媒体」が、メモリーであるのに対し、引用例１に記載の発明では、磁気ディスクである点で相違している。
　また、引用例１に記載の発明でいう「画像処理装置」が、電子スチルカメラの機能を有するものであることから、引用例１に記載の発明と本願発明は共に「カメラ」を対象とするものといえる。
　もっとも、本願発明が、デジタルカメラであるのに対し、引用例１に記載の発明は、デジタルカメラではない点で相違する。
（ｂ）引用例１に記載の発明では、記録媒体に記録された映像の再生、表示時に、録画ボタン２０を操作することによりプリントの対象となる映像を選択していることから、引用例１に記載の発明は、本願発明でいう「使用者の操作により、印刷する映像情報を指定可能な指定手段」を有するものといえる。
　しかしながら、本願発明では、上記指定手段を、「注文者毎に区別して」印刷する映像情報を指定可能としているところ、引用例１に記載の発明では、注文者毎に区別して指定可能とするものではない。
（ｃ）引用例１に記載の発明の「プリントレイアウトパターンやプリント枚数」の情報は、本願発明でいう「印刷情報」に対応するものといえ、そしてその「プリントレイアウトパターンやプリント枚数」は、録画ボタン２０を操作することにより選択された映像のプリントに関する情報であり、さらに、撮像した映像を記録する記録媒体に登録されるものであるから、引用例１に記載の発明も、「指定手段から入力された指定された映像情報の印刷に関する印刷情報を記録媒体に格納する管理情報格納手段」を有するものといえる。
　もっとも、本願発明では、「指定された映像情報」が、「注文者毎に区別して」指定されたものであるのに対し、引用例１に記載の発明では、「注文者毎に区別して」指定されたものではない点で相違している。
　
　以上の対比結果(ａ)ないし(ｃ)によれば、本願発明と引用例１に記載された発明との一致点・相違点は次のとおりである。 
［一致点］
　両者はいずれも、　
「取外し可能な記録媒体に、撮影した映像情報を格納する映像書込手段と、
　使用者の操作により、印刷する映像情報を指定可能な指定手段と、
　前記指定手段から入力された指定された映像情報の印刷に関する印刷情報を前記記録媒体に格納する管理情報格納手段とを有することを特徴とするカメラ。」である点。
　
［相違点］
　相違点（１）　 
　本願発明は、上記記録媒体が「メモリー」であり、「デジタルカメラ」に係るものであるのに対し、引用例１に記載の発明は、上記記録媒体が「磁気ディスク」であり、「デジタルカメラ」ではない点。
　
　相違点（２）
　本願発明では、指定手段が、「注文者毎に区別して」印刷する映像情報を指定可能な「注文者指定手段」であり、指定された映像情報が、「注文者指定手段から入力された注文者毎に区別して」指定された映像情報であるのに対して、引用例１に記載の発明では、指定手段が、「注文者毎に区別して」印刷する映像情報を指定可能な「注文者指定手段」ではなく、指定された映像情報が、「注文者指定手段から入力された注文者毎に区別して」指定されたものではない点。
　
４．判断 
　そこで、以下、上記相違点について判断する。
　相違点（１）について 
　映像を撮影し、撮影した映像情報を取り外し可能なメモリーに格納するデジタルカメラは周知のものであり、引用例１に記載の発明のカメラにおいて、取り外し可能な記録媒体をメモリーとし、撮影した映像情報を当該メモリーに格納するデジタルカメラとすることは、当業者が格別の困難性なくなし得たことと認められる。
　
　相違点（２）について
　上記引用例２には、焼増プリント写真の仕分けを極めて簡単に行うことができるようにした再注文システムを提供することを目的として、同じフイルムに対して複数のユーザー（注文者）から焼増の再注文があった場合に、焼き増ししたプリント写真にユーザーを特定するための数字又は記号等を記録するようにして、オーダー主は、焼増プリント写真の仕分けを簡単に行うこと（引用例２の前掲記載（ク）、（サ）、（シ）参照）、また、実施例には、ネガシート４の蓋部５に、焼増のための注文票６が印刷され、この注文票には、駒番号列と、複数のユーザー（この実施例では３名）列とが記録されており、このユーザー列にはユーザーを特定するためにユーザー番号が印刷され、焼増の再注文に際しては、オーダー主は、納品袋２の注文票６にペン等でユーザー毎に焼増枚数を記入し、ネガシートを収納してから現像所に提出し、現像所では、プリントの前段階で、注文票６に記入された依頼内容をキーボード４２でユーザー番号と、ユーザーの希望する焼増駒とその枚数を入力しデータ記憶部４３に記憶し、駒番号４８とユーザー番号４９とを印画紙２８の裏面に印字すること（引用例２の前掲記載（ケ）、（コ）参照）、がそれぞれ記載されている。
　これらの記載によれば、上記引用例２には、オーダー主は、注文票６にペン等でユーザー（注文者）毎に駒番号に焼増枚数を記入し、焼増プリントを依頼し、現像所では、この記入されたユーザー（注文者）番号と、そのユーザー（注文者）の希望する焼増駒とその枚数を入力して、所望の駒番号に対応するネガ像（「映像情報」に対応）をプリント写真とし、当該プリント写真にはユーザー（注文者）番号を印字する、言い替えると、オーダー主によって、注文者（ユーザー）毎に区別して印刷する映像情報を指定するようにして、その注文者毎に区別して指定された映像情報の印刷に関する印刷情報を付して、映像情報のプリントを依頼する技術事項が開示されているといえる。
　また、引用例１に記載の発明において、撮影、記録された映像のプリントを専門店等に依頼する際（引用例１の前掲記載（ウ）等参照）、複数人からのプリント注文（プリント依頼）は普通に想定されるところ、このような場合、引用例２に記載の技術事項を適用して、注文者毎に区別して印刷する映像情報を指定するようにし、当該注文者毎に区別して指定された映像情報の印刷に関する印刷情報を記録媒体に格納するようになすことは、当業者が格別の困難性なくなし得たことと認められる。
　すなわち、引用例１に記載の発明において、指定手段を、注文者毎に区別して印刷する映像情報を指定可能な注文者指定手段とし、当該注文者指定手段から入力された注文者毎に区別して指定された映像情報の印刷に関する印刷情報を記録媒体に格納するようにすることは当業者が容易になし得たことといえる。
　
　以上、判断したとおり、本願発明における上記相違点（１）、（２）に係る構成は、当業者が容易に想到し得たといえるものであり、また、本願発明の効果についてみても、上記構成の採用に伴って当然に予測されるものにすぎず、格別顕著なものがあるとは認められない。 
 
５．むすび 
　以上のとおりであるから、本願の請求項１に係る発明は、引用例１及び引用例２に記載された発明に基づいて当業者が容易に発明をすることができたものであるから、特許法第２９条第２項の規定により特許を受けることができない。 
　したがって、本願の他の請求項について検討するまでもなく、本願は拒絶されるべきものである。
　よって、結論のとおり審決する。